【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）を動作させる方法であって、
前記ＵＥにおいて、第１のミリメートル波基地局（ｍｗＢ）から第１の情報を受信することと、
前記受信された第１の情報に基づいて第２の情報を決定することと、
前記第２の情報を前記ＵＥから少なくとも１つの他のｍｗＢに送信することと、ここにおいて、前記ＵＥは、前記第１のｍｗＢと前記少なくとも１つの他のｍｗＢとの間のリレーである、
を備え、
ここにおいて、前記第１の情報および前記第２の情報が、前記第１のｍｗＢと前記少なくとも１つの他のｍｗＢとの間の同期またはネットワーク状態のうちの少なくとも１つに関係する、方法。
【請求項２】
前記第１の情報が前記第１のｍｗＢのタイミング情報を備え、
前記第２の情報を前記決定することが、
前記第１のｍｗＢの前記タイミング情報と予想されるタイミング情報との間の第１のタイミング差異、または
前記第１のｍｗＢの前記タイミング情報と前記少なくとも１つの他のｍｗＢのタイミング情報との間の第２のタイミング差異
のうちの少なくとも１つを測定することを備え、
前記第２の情報を前記送信することが、前記測定された第１のタイミング差異または前記測定された第２のタイミング差異のうちの前記少なくとも１つを前記少なくとも１つの他のｍｗＢに送信することを備える、請求項１に記載の方法。
【請求項３】
前記第１の情報が前記第１のｍｗＢのリソース割振り情報を備え、
前記第２の情報が前記第１の情報であると決定され、
前記第２の情報を前記送信することが、前記第１のｍｗＢの前記リソース割振り情報を前記少なくとも１つの他のｍｗＢに送信することを備える、請求項１に記載の方法。
【請求項４】
前記第１のｍｗＢの前記リソース割振り情報がｍｗＢ発見中に送信される、請求項３に記載の方法。
【請求項５】
前記少なくとも１つの他のｍｗＢから干渉信号を受信すること
をさらに備え、
ここにおいて、前記第１のｍｗＢの前記リソース割振り情報は、前記干渉信号が受信されたとき、前記少なくとも１つの他のｍｗＢに送信される、請求項３に記載の方法。
【請求項６】
前記第１のｍｗＢが前記少なくとも１つの他のｍｗＢから干渉を受信し、前記方法が、
前記第１のｍｗＢから、前記第１のｍｗＢの前記リソース割振り情報を前記少なくとも１つの他のｍｗＢに送信するようにとの命令を受信することをさらに備え、
ここにおいて、前記第１のｍｗＢの前記リソース割振り情報が、前記命令に基づいて前記少なくとも１つの他のｍｗＢに送信される、請求項３に記載の方法。
【請求項７】
前記少なくとも１つの他のｍｗＢから第４の情報を受信することと、
前記受信された第４の情報に基づいて第３の情報を決定することと
をさらに備える、請求項１に記載の方法。
【請求項８】
前記第４の情報が前記少なくとも１つの他のｍｗＢのタイミング情報を備え、
前記第３の情報を前記決定することが、
前記少なくとも１つの他のｍｗＢの前記タイミング情報と予想されるタイミング情報との間の第１のタイミング差異、または
前記少なくとも１つの他のｍｗＢの前記タイミング情報と前記第１のｍｗＢのタイミング情報との間の第２のタイミング差異
のうちの少なくとも１つを測定することを備え、
前記第３の情報を前記送信することが、前記測定された第１のタイミング差異または前記測定された第２のタイミング差異のうちの前記少なくとも１つを前記第１のｍｗＢに送信することを備える、請求項７に記載の方法。
【請求項９】
前記第４の情報が前記少なくとも１つの他のｍｗＢのリソース割振り情報を備え、
前記第３の情報が前記第４の情報であると決定され、
前記第３の情報を前記送信することが、前記少なくとも１つの他のｍｗＢの前記リソース割振り情報を前記第１のｍｗＢに送信することを備える、請求項７に記載の方法。
【請求項１０】
ユーザ機器（ＵＥ）であって、
第１のミリメートル波基地局（ｍｗＢ）から第１の情報を受信するための手段と、
前記受信された第１の情報に基づいて第２の情報を決定するための手段と、
前記第２の情報を少なくとも１つの他のｍｗＢに送信するための手段と、ここにおいて、前記ＵＥは、前記第１のｍｗＢと前記少なくとも１つの他のｍｗＢとの間のリレーである、
を備え、
ここにおいて、前記第１の情報および前記第２の情報が、前記第１のｍｗＢと前記少なくとも１つの他のｍｗＢとの間の同期またはネットワーク状態のうちの少なくとも１つに関係する、ＵＥ。
【請求項１１】
前記第１の情報が前記第１のｍｗＢのタイミング情報を備え、
前記第２の情報を決定するための前記手段が、
前記第１のｍｗＢの前記タイミング情報と予想されるタイミング情報との間の第１のタイミング差異、または
前記第１のｍｗＢの前記タイミング情報と前記少なくとも１つの他のｍｗＢのタイミング情報との間の第２のタイミング差異
のうちの少なくとも１つを測定するように構成され、
前記第２の情報を送信するための前記手段が、前記測定された第１のタイミング差異または前記測定された第２のタイミング差異のうちの前記少なくとも１つを前記少なくとも１つの他のｍｗＢに送信するように構成された、請求項１０に記載のＵＥ。
【請求項１２】
i)    前記第１の情報が前記第１のｍｗＢのリソース割振り情報を備え、
前記第２の情報が前記第１の情報であると決定され、
前記第２の情報を送信するための前記手段が、前記第１のｍｗＢの前記リソース割振り情報を前記少なくとも１つの他のｍｗＢに送信するように構成された、または
ii)   下記をさらに備える、
前記少なくとも１つの他のｍｗＢから第４の情報を受信するための手段、および
前記受信された第４の情報に基づいて第３の情報を決定するための手段、
上記のうちの１つを備える、請求項１０に記載のＵＥ。
【請求項１３】
i)    前記第１のｍｗＢの前記リソース割振り情報がｍｗＢ発見中に送信される、
ii)   下記をさらに備える、
前記少なくとも１つの他のｍｗＢから干渉信号を受信するための手段、
ここにおいて、前記第１のｍｗＢの前記リソース割振り情報は、前記干渉信号が受信されたとき、前記少なくとも１つの他のｍｗＢに送信される、または
iii)  前記第１のｍｗＢが前記少なくとも１つの他のｍｗＢから干渉を受信し、前記ＵＥが、
前記第１のｍｗＢから、前記第１のｍｗＢの前記リソース割振り情報を前記少なくとも１つの他のｍｗＢに送信するようにとの命令を受信するための手段をさらに備え、
ここにおいて、前記第１のｍｗＢの前記リソース割振り情報が、前記命令に基づいて前記少なくとも１つの他のｍｗＢに送信される、
上記のうちの１つを備える、請求項１２に記載のＵＥ。
【請求項１４】
請求項１２に記載のＵＥであって、オプションii)、ここにおいて、
i)    前記第４の情報が前記少なくとも１つの他のｍｗＢのタイミング情報を備え、
前記第３の情報を決定するための前記手段が、
前記少なくとも１つの他のｍｗＢの前記タイミング情報と予想されるタイミング情報との間の第１のタイミング差異、または
前記少なくとも１つの他のｍｗＢの前記タイミング情報と前記第１のｍｗＢのタイミング情報との間の第２のタイミング差異
のうちの少なくとも１つを測定するように構成され、
前記第３の情報を送信するための前記手段が、前記測定された第１のタイミング差異または前記測定された第２のタイミング差異のうちの前記少なくとも１つを前記第１のｍｗＢに送信するように構成された、または
ii)   ここにおいて、
前記第４の情報が前記少なくとも１つの他のｍｗＢのリソース割振り情報を備え、
前記第３の情報が前記第４の情報であると決定され、
前記第３の情報を送信するための前記手段が、前記少なくとも１つの他のｍｗＢの前記リソース割振り情報を前記第１のｍｗＢに送信するように構成された、
請求項１２に記載のＵＥ。
【請求項１５】
コンピュータ可読媒体に記憶されたコンピュータプログラム製品であって、少なくとも１つのプロセッサ上で実行されたとき、
ユーザ機器（ＵＥ）において、第１のミリメートル波基地局（ｍｗＢ）から第１の情報を受信するステップと、
前記受信された第１の情報に基づいて第２の情報を決定するステップと、
前記第２の情報を前記ＵＥから少なくとも１つの他のｍｗＢに送信するステップと、ここにおいて、前記ＵＥは、前記第１のｍｗＢと前記少なくとも１つの他のｍｗＢとの間のリレーである、
を実行するコードを備え、
ここにおいて、前記第１の情報および前記第２の情報が、前記第１のｍｗＢと前記少なくとも１つの他のｍｗＢとの間の同期またはネットワーク状態のうちの少なくとも１つに関係する、コンピュータプログラム製品。